(57)【要約】【課題】  劇場などにおいて実質的に足場を組むことなく、天井材の落下を防止することのできる天井材落下防止構造、およびその施工方法。【解決手段】  天井材（１１）の落下を防止する天井材落下防止構造の施工方法。天井材に一対の孔（１ａ，１ｂ）を形成する第１工程と、一対の孔のうちの一方の孔（１ａ）に落下防止用線材（２）を通すとともに、落下防止用線材の一端を天井材の上方の支持部材（６ａ）に取り付ける第２工程と、一対の孔のうちの他方の孔（１ｂ）を介して垂下させた施工用線材を用いて落下防止用線材の他端側を下方から他方の孔に通し、落下防止用線材に所要の張力を付与した状態で落下防止用線材の他端を支持部材（６ｂ）に取り付ける第３工程とを含む。【選択図】  図４
2015124556.tif 000002
【特許請求の範囲】
【請求項１】
天井材の落下を防止する天井材落下防止構造の施工方法であって、
前記天井材に一対の孔を形成する第１工程と、
前記一対の孔のうちの一方の孔に落下防止用線材を通すとともに、該落下防止用線材の一端を前記天井材の上方の支持部材に取り付ける第２工程と、
前記一対の孔のうちの他方の孔を介して垂下させた施工用線材を用いて前記落下防止用線材の他端側を下方から前記他方の孔に通し、前記落下防止用線材に所要の張力を付与した状態で前記落下防止用線材の他端を前記支持部材に取り付ける第３工程とを含むことを特徴とする天井材落下防止構造の施工方法。
【請求項２】
前記第２工程では、前記一方の孔を介して垂下させた施工用線材を用いて前記落下防止用線材の一端側を下方から前記一方の孔に通すことを特徴とする請求項１に記載の施工方法。
【請求項３】
前記第２工程では、第１中空部材を貫通した前記落下防止用線材の一端を前記第１中空部材の上端に仮留めし、前記施工用線材を用いて前記第１中空部材を下方から前記一方の孔に通し、前記第１中空部材の上端を前記支持部材に取り付けることを特徴とする請求項２に記載の施工方法。
【請求項４】
前記第２工程では、前記第１中空部材の下端部により前記一方の孔を下方から塞ぐとともに、前記下端部に形成された滑らかな曲面に前記落下防止用線材を当接させることを特徴とする請求項３に記載の施工方法。
【請求項５】
前記第３工程では、第２中空部材を貫通した前記落下防止用線材の他端を前記第２中空部材の上端に仮留めし、前記施工用線材を用いて前記第２中空部材を下方から前記他方の孔に通し、前記第２中空部材の上端を前記支持部材に取り付けることを特徴とする請求項１乃至４のいずれか１項に記載の施工方法。
【請求項６】
前記第３工程では、前記第２中空部材の下端部により前記他方の孔を下方から塞ぐとともに、前記下端部に形成された滑らかな曲面に前記落下防止用線材を当接させることを特徴とする請求項５に記載の施工方法。
【請求項７】
前記第１工程では、前記孔を形成すべき領域を下方から容器で覆い、前記天井材に上方から穿孔する際に発生するゴミを前記容器内に回収することを特徴とする請求項１乃至６のいずれか１項に記載の施工方法。
【請求項８】
前記落下防止用線材として、釣糸の形態を有する線材を用いることを特徴とする請求項１乃至７のいずれか１項に記載の施工方法。
【請求項９】
天井材の落下を防止する天井材落下防止構造であって、
前記天井材に形成された一対の孔を貫通し且つ前記天井材の下側面に沿って延びるように配置された落下防止用線材と、
前記落下防止用線材に所要の張力を付与した状態で前記落下防止用線材の一端および他端を前記天井材の上方の支持部材に取り付けるための取付け部材とを備えていることを特徴とする天井材落下防止構造。
【請求項１０】
前記落下防止用線材の一端側が貫通した状態で配置された第１中空部材を備え、該第１中空部材の上端は前記支持部材に取り付けられていることを特徴とする請求項９に記載の天井材落下防止構造。
【請求項１１】
前記第１中空部材の下端は、前記一方の孔を下方から塞ぐような形態を有し、且つ前記落下防止用線材と当接する滑らかな曲面を有することを特徴とする請求項１０に記載の天井材落下防止構造。
【請求項１２】
前記落下防止用線材の他端側が貫通した状態で配置された第２中空部材を備え、該第２中空部材の上端は前記支持部材に取り付けられていることを特徴とする請求項９乃至１１のいずれか１項に記載の天井材落下防止構造。
【請求項１３】
前記第２中空部材の下端は、前記他方の孔を下方から塞ぐような形態を有し、且つ前記落下防止用線材と当接する滑らかな曲面を有することを特徴とする請求項１２に記載の天井材落下防止構造。
【請求項１４】
前記落下防止用線材は、釣糸の形態を有することを特徴とする請求項９乃至１３のいずれか１項に記載の天井材落下防止構造。
【発明の詳細な説明】
【技術分野】
【０００１】
本発明は、天井材落下防止構造、およびその施工方法に関する。
【背景技術】
【０００２】
例えば劇場における天井の新築工事または改修工事では、全体的に階段状になった床面のほぼ全体に亘って、かなり高い足場を設置する必要がある。その結果、劇場の天井改修工事の場合、公演を全面的に止めせざるを得ない。
【発明の概要】
【発明が解決しようとする課題】
【０００３】
ところで、先の東日本大震災では、様々な建築物において天井材が落下した事例が報告されている。そこで、劇場オーナーなどから、継続して予定されている公演を止めることなく、すなわち実質的に足場を組むことなく、天井材の落下を防止するための改修工事（以下、「天井フェイルセーフ工事」という）を行って欲しいという要望がある。
【０００４】
本発明は、前述の課題に鑑みてなされたものであり、劇場などにおいて実質的に足場を組むことなく、天井材の落下を防止することのできる天井材落下防止構造、およびその施工方法を提供することを目的とする。
【課題を解決するための手段】
【０００５】
前記課題を解決するために、本発明の第１形態では、天井材の落下を防止する天井材落下防止構造の施工方法であって、
前記天井材に一対の孔を形成する第１工程と、
前記一対の孔のうちの一方の孔に落下防止用線材を通すとともに、該落下防止用線材の一端を前記天井材の上方の支持部材に取り付ける第２工程と、
前記一対の孔のうちの他方の孔を介して垂下させた施工用線材を用いて前記落下防止用線材の他端側を下方から前記他方の孔に通し、前記落下防止用線材に所要の張力を付与した状態で前記落下防止用線材の他端を前記支持部材に取り付ける第３工程とを含むことを特徴とする天井材落下防止構造の施工方法を提供する。
【０００６】
本発明の第２形態では、天井材の落下を防止する天井材落下防止構造であって、
前記天井材に形成された一対の孔を貫通し且つ前記天井材の下側面に沿って延びるように配置された落下防止用線材と、
前記落下防止用線材に所要の張力を付与した状態で前記落下防止用線材の一端および他端を前記天井材の上方の支持部材に取り付けるための取付け部材とを備えていることを特徴とする天井材落下防止構造を提供する。
【発明の効果】
【０００７】
本発明では、天井材に形成された一対の孔を貫通し且つ天井材の下側面に沿って延びるように配置された落下防止用線材に所要の張力を付与した状態で、落下防止用線材の一端および他端が天井材の上方の支持部材に取り付けられる。したがって、劇場などにおいて実質的に足場を組むことなく、天井材の落下を確実に防止することができる。
【図面の簡単な説明】
【０００８】
【図１】本発明の実施形態にかかる天井材落下防止構造の全体構成を概略的に示す図であって、天井面を下から見上げた平面図である。
【図２】天井板の所要位置に孔を形成する様子を示す図である。
【図３】施工用線材を引き上げることにより落下防止用線材の一端が仮留めされた中空部材を所要位置まで引き上げる様子を示す図である。
【図４】落下防止用線材の一端が天井板の上方の支持部材に取り付けられる様子を示す図である。
【図５】落下防止用線材の他端が天井板の上方の支持部材に取り付けられる様子を示す図である。
【図６】折板面状の天井に適用した変形例を概略的に示す図である。
【図７】補助用の落下防止用線材を付設した変形例を概略的に示す図である。
【発明を実施するための形態】
【０００９】
本発明の実施形態を、添付図面に基づいて説明する。図１は、本発明の実施形態にかかる天井材落下防止構造の全体構成を概略的に示す図であって、天井面を下から見上げた平面図である。本実施形態では、例えば劇場における天井材（天井板、野縁、野縁受けなど）の落下の防止に対して本発明を適用している。具体的には、発明の理解を容易にするために、図１に示すように１２枚の矩形状の天井板１１が平面に沿って縦横に取り付けられた比較的単純な構成を有する天井に対して本発明を適用している。
【００１０】
図１では、参照符号１２で示す小さな円が、天井板１１の長辺の長さに対応するピッチまたはそれに近いピッチで縦横に描かれている。これらの複数の円１２は、天井フェイルセーフ工事に際して天井板（ひいては天井材）１１に形成される複数の孔１の位置に対応している。そして、天井材の落下を防止するための複数の落下防止用線材２が、図１中水平方向に隣り合う一対の円１２の間および図１中鉛直方向に隣り合う一対の円１２の間でそれぞれ直線状に延びている。
【００１１】
落下防止用線材２として、例えば十分な強度を有する釣糸を用いることができる。本実施形態において、一対の孔１の間で直線状に延びている各落下防止用線材２の取付け構造およびその施工方法は基本的に同じである。したがって、任意の一対の孔１の間で直線状に延びている１本の落下防止用線材２の取付け構造およびその施工方法に着目して、本実施形態にかかる天井材落下防止構造およびその施工方法を説明する。
【００１２】
本実施形態では、図２に示すように、天井板１１の所要位置に孔１を形成する。図２では、天井板１１において孔１を形成すべき領域を下方から容器（カバー部材）３で覆い、天井板１１に上方から穿孔する際に発生するゴミを容器３内に回収している。すなわち、図２に示す施工例では、天井板１１の上方の作業空間を利用して、適当な穿孔工具により天井板１１の所要位置に孔１を形成している。このとき、ゴミ回収用の容器３の底部から下方へ延びる支持棒（不図示）を把持することにより、孔１の形成に際して容器３を所要位置に安定的に保持することができる。
【００１３】
また、床から天井板１１までの距離が比較的大きく且つ天井板１１として有孔パネルを用いている場合には、有効パネルの既設の孔を利用して容器３を所要位置に安定的に保持することができる。具体的には、例えば有効パネルの一対の既設孔から垂下させた一対の施工用線材（例えば釣糸）の下端を容器３の両端に結び留め、天井板１１の上方の作業空間から一対の施工用線材を引き上げることにより容器３を所要位置に位置決めすることができる。
【００１４】
容器３の両端に一対の施工用線材を結び留める場合、容器３を所要の姿勢に保持しつつ引き上げるには、例えば底部から下方へ延びるカウンターウェイト部材を容器３に付設することが望ましい。天井板１１に穿孔する際に発生するゴミを回収しなくても良い場合には、容器３を使用する必要は無く、可能であれば天井板１１に下方から穿孔する方法を採用しても良い。
【００１５】
次いで、本実施形態では、図３に示すように、互いに隣り合う一対の孔１のうちの一方の孔１ａから施工用線材（例えば釣糸）４ａを垂下させ、施工用線材４ａの先端を中空部材５ａの上端に結び留める。中空部材５ａは、例えば円筒状の本体５ａａと、外側に向かって徐々に大きく開いたラッパ状の下端部５ａｂとを有する。落下防止用線材２の一端は、中空部材５ａを貫通し、その上端に仮留めされる。図３では、図面の明瞭化のために、中空部材５ａの外形形状および中空部材５ａを貫通する落下防止用線材２をともに実線で示している。
【００１６】
なお、図３では、中空部材５ａを貫通する２本の落下防止用線材２が描かれているが、一方は図３中水平方向に沿って孔１ａの右側にある孔を貫通すべき落下防止用線材２であり、他方は図３中水平方向に沿って孔１ａの左側にある孔を貫通すべき落下防止用線材２である。図３の紙面に垂直な方向に沿って孔１ａの手前側にある孔および奥側にある孔を貫通すべき落下防止用線材２を考慮すると、１つの中空部材５を貫通する落下防止用線材２の本数の最大値は４である。
【００１７】
本実施形態では、図３に示すように、天井板１１の上方の作業空間から施工用線材４ａを引き上げることにより、落下防止用線材２の一端が仮留めされた中空部材５ａを引き上げ、ひいては中空部材５ａを下方から孔１ａに通す。具体的に、図３および図４に示すように、中空部材５ａは、その下端部５ａｂが孔１ａを下方から塞ぐ位置まで引き上げられる。
【００１８】
そして、施工用線材４ａを中空部材５ａから取り外し、図４に示すように、中空部材５ａの上端を、天井板１１の上方に位置する横架部材６ａに取り付ける。横架部材６ａは、例えばブドウ棚を構成する既設の部材であっても良いし、既設の部材に取り付けられた新設の部材であっても良い。一例として、中空部材５ａは、その上端部に形成された雄ねじ部とナットとの協働作用により、横架部材６ａのフランジに固定的に取り付けられる。
【００１９】
中空部材５ａの上端に仮留めされていた落下防止用線材２の一端は、中空部材５ａから取り外され、例えば横架部材６ａに取り付けられた比較的大きい外径のパイプ部材７ａに巻き付けられた後、横架部材６ａに取り付けられた比較的小さい外径のパイプ部材８ａに固定的に取り付けられる。具体的には、落下防止用線材２の一端をパイプ部材８ａに結び留めても良いし、適当な固定用部材を用いて落下防止用線材２の一端をパイプ部材８ａに固定しても良い。
【００２０】
次いで、本実施形態では、図３に示すように、互いに隣り合う一対の孔１のうちの他方の孔１ｂから施工用線材（例えば釣糸）４ｂを垂下させ、施工用線材４ｂの先端を中空部材５ｂの上端に結び留める。中空部材５ｂは、落下防止用線材２の一端側が貫通する中空部材５ａと同様に、例えば円筒状の本体５ｂａと、外側に向かって徐々に大きく開いたラッパ状の下端部５ｂｂとを有する。パイプ部材７ａ，８ａを介して横架部材６ａに一端が取り付けられた落下防止用線材２の他端は、中空部材５ｂを貫通し、その上端に仮留めされる。
【００２１】
本実施形態では、一方の孔１ａについて行った作業の場合と同様に、天井板１１の上方の作業空間から施工用線材４ｂを引き上げることにより、落下防止用線材２の他端が仮留めされた中空部材５ｂを引き上げ、ひいては中空部材５ｂを下方から孔１ｂに通す。具体的には、図５に示すように、中空部材５ｂは、その下端部５ｂｂが孔１ｂを下方から塞ぐ位置まで引き上げられる。そして、施工用線材４ｂを中空部材５ｂから取り外し、中空部材５ｂの上端を、天井板１１の上方に位置する横架部材６ｂに取り付ける。
【００２２】
横架部材６ｂは、横架部材６ａと同様に、例えばブドウ棚を構成する既設の部材であっても良いし、既設の部材に取り付けられた新設の部材であっても良い。また、横架部材６ｂは、横架部材６ａと同じ部材であっても良いし、横架部材６ａとは別の部材であっても良い。一例として、中空部材５ｂは、その上端部に形成された雄ねじ部とナットとの協働作用により、横架部材６ｂのフランジに固定的に取り付けられる。
【００２３】
中空部材５ｂの上端に仮留めされていた落下防止用線材２は、例えば横架部材６ｂに取り付けられた比較的大きい外径のパイプ部材７ｂに巻き付けられた後、横架部材６ｂに取り付けられた比較的小さい外径のパイプ部材８ｂに固定的に取り付けられる。具体的には、落下防止用線材２の一端の場合と同様に、落下防止用線材２の他端をパイプ部材８ｂに結び留めても良いし、適当な固定用部材を用いて落下防止用線材２の他端をパイプ部材８ｂに固定しても良い。
【００２４】
このとき、落下防止用線材２に所要の張力を付与した状態で、落下防止用線材２の他端を、取付け部材としてのパイプ部材７ｂ，８ｂを介して、支持部材としての横架部材６ｂに取り付けることが重要である。こうして、落下防止用線材２は、天井板１１に形成された一対の孔１ａ，１ｂを貫通し且つ天井板１１の下側面に沿って延びるように配置される。そして、落下防止用線材２は、所要の張力が付与された状態で、その一端および他端が天井板１１の上方の横架部材６ａ，６ｂに、パイプ部材７ａ，８ａ；７ｂ，８ｂを介して取り付けられる。
【００２５】
図４および図５に示すように、所要の張力が付与された落下防止用線材２は、一方の孔１ａ側では中空部材５ａの下端部５ａｂの内側に形成された滑らかな曲面に当接し、他方の孔１ｂ側では中空部材５ｂの下端部５ｂｂの内側に形成された滑らかな曲面に当接した状態になる。このように、中空部材５ａ，５ｂの下端部５ａｂ，５ｂｂの内側に形成された滑らかな曲面に当接させることにより、落下防止用線材２に所要の張力を付与する際に落下防止用線材２が天井板１１の孔１ａ，１ｂの廻りの尖った部位により破損したり破断したりするのを回避することができる。
【００２６】
なお、必要に応じて、落下防止用線材２の一端側が貫通する一方の中空部材５ａと、落下防止用線材２の他端側が貫通する他方の中空部材５ｂとを、例えば水平方向に延びる適当な中間部材（不図示）により連結することもできる。この中間部材を付設することにより、中空部材５ａの下端部５ａｂおよび中空部材５ｂの下端部５ｂｂが所要の位置に安定的に保持され、ひいては落下防止用線材２に付与された所要の張力を安定的に保持することができる。
【００２７】
本実施形態では、横架部材６ａは、中空部材５ａを貫通した落下防止用線材２の一端が取り付けられるとともに中空部材５ａの上端が取り付けられる支持部材を構成している。横架部材６ｂは、中空部材５ｂを貫通した落下防止用線材２の他端が取り付けられるとともに中空部材５ｂの上端が取り付けられる支持部材を構成している。パイプ部材７ａ，８ａは落下防止用線材２の一端を横架部材６ａに取り付けるための取付け部材を構成し、パイプ部材７ｂ，８ｂは落下防止用線材２の他端を横架部材６ｂに取り付けるための取付け部材を構成している。
【００２８】
ただし、支持部材および取付け部材の具体的な構成については、様々な変形例が可能である。具体的に、中空部材５ａ，５ｂの上端を支持部材に取り付ける態様、中空部材５ａを貫通した落下防止用線材２の一端および中空部材５ｂを貫通した落下防止用線材２の他端を、取付け部材を介して支持部材に取り付ける態様、支持部材および取付け部材の形態については、様々な変形例が可能である。
【００２９】
本実施形態では、天井板１１に形成された一対の孔１ａ，１ｂを貫通し且つ天井板１１の下側面に沿って延びるように落下防止用線材２を張架する上述の作業が、図１中水平方向に隣り合う一対の孔および図１中鉛直方向に隣り合う一対の孔について繰り返される。その結果、図１に示すように、天井材の落下を防止するための複数の落下防止用線材２が、天井板１１の下側面に沿って縦横に張架される。
【００３０】
以上のように、本実施形態では、天井板（ひいては天井材）１１に形成された一対の孔１ａ，１ｂを貫通し且つ天井板１１の下側面に沿って延びるように配置された落下防止用線材２に所要の張力を付与した状態で、落下防止用線材２の一端および他端が天井板１１の上方の支持部材（６ａ，６ｂ）に取り付けられる。したがって、劇場などにおいて実質的に足場を組むことなく、天井材の落下を確実に防止することができる。その結果、劇場オーナーは、天井フェイルセーフ工事に際して予定の公演を中止する必要がなく、工事の期間中においても公演収入を確保することができ、且つ客離れ等のリスクを回避することができる。
【００３１】
なお、上述の実施形態では、１２枚の矩形状の天井板１１が平面に沿って縦横に取り付けられ、平面状の天井が構成されている。しかしながら、これに限定されることなく、天井板の形状、数、配置、天井の面形状などについては様々な形態が可能である。また、上述の実施形態では、矩形状の天井板１１の長辺の長さに対応するピッチまたはそれに近いピッチで、落下防止用線材２を貫通させるための複数の孔１が縦横に形成されている。しかしながら、これに限定されることなく、天井板に形成すべき孔の数、配置（ピッチ）などについては様々な形態が可能である。
【００３２】
例えば、図６に示すように、複数の天井板１１が、平面状ではなく、折板面状に取り付けられた天井に対しても同様に、本発明を適用することができる。この場合、落下防止用線材２の一端側が貫通する中空部材５１ａの下端部５１ａｂ、および落下防止用線材２の他端側が貫通する中空部材５１ｂの下端部５１ｂｂを、天井面の傾斜に応じて、中空部材５１ａの本体５１ａａの中心軸線および中空部材５１ｂの本体５１ｂａの中心軸線に関してそれぞれ回転非対称な形状にしても良い。
【００３３】
図６の変形例の場合、必要に応じて、落下防止用線材２の一端側が貫通する一方の中空部材５１ａと、落下防止用線材２の他端側が貫通する他方の中空部材５１ｂとを、例えば水平方向に延びる適当な中間部材（不図示）により連結することができる。また、図６の変形例の場合、天井面の出隅部５２による落下防止用線材２の破損または破断を回避するために、落下防止用線材２が貫通するパイプ状の養生部材５３を出隅部５２に接するように位置決め配置することもできる。
【００３４】
なお、出隅部５２による落下防止用線材２の破損または破断を回避するための養生部材の具体的な構成については、様々な形態が可能である。また、養生部材を出隅部５２に接するように位置決め配置するために、必要に応じて適当なガイド部材を用いても良い。一例として、例えば天井板１１の一対の孔から垂下された施工用線材を用いて引き上げ可能なガイド部材を用い、ガイド部材に安定的に載置された養生部材を出隅部５２に接するように位置決めしてから、落下防止用線材２の他端を天井板１１の上方の支持部材に取り付ける手法を用いても良い。
【００３５】
また、図７に示すように、天井板１１の長辺の長さに対応するピッチまたはそれに近いピッチで縦横に形成された複数の孔を利用して張架された落下防止用線材２に加えて、矩形状の天井全体の長辺の長さに近いピッチで縦横に形成された複数の孔を利用して補助用の落下防止用線材（例えば釣糸）２１を付設する変形例も可能である。図７では、上述の実施形態にかかる落下防止用線材２を実線で示し、補助用の落下防止用線材２１を破線で示している。
【００３６】
補助用の落下防止用線材２１の取付け構造および施工方法は、上述の実施形態にかかる落下防止用線材２の取付け構造および施工方法と同様であり、重複する説明を省略する。ただし、重力の作用を考慮し、比較的大きなスパンに亘って張架される補助用の落下防止用線材２１を、比較的小さなスパンに亘って張架される落下防止用線材２が下から支えるように構成することが望ましい。図７の変形例では、落下防止用線材２と補助用の落下防止用線材２１との協働作用により、天井材の落下をさらに確実に防止することができる。
【００３７】
なお、上述の実施形態および変形例では、落下防止用線材２、補助用の落下防止用線材２１、施工用線材４として、例えば釣糸を用いている。しかしながら、これに限定されることなく、これらの線材の材質などについては様々な形態が可能である。
【００３８】
また、上述の実施形態では、落下防止用線材２が貫通する中空部材５ａ，５ｂを用いている。しかしながら、これに限定されることなく、中空部材５ａ，５ｂの使用を省略することもできる。この場合、例えば施工用線材４ａを用いることなく、一方の孔１ａに落下防止用線材２を上方（または下方）から通すとともに、落下防止用線材２の一端を天井板１１の上方の支持部材６ａに取り付ければ良い。また、他方の孔１ｂを介して垂下させた施工用線材４ｂを用いて落下防止用線材２の他端側を下方から他方の孔１ｂに通し、落下防止用線材２に所要の張力を付与した状態で落下防止用線材２の他端を支持部材６ｂに取り付ければ良い。
【符号の説明】
【００３９】
１；１ａ，１ｂ  孔
２  落下防止用線材
３  ゴミ回収用の容器
４；４ａ，４ｂ  施工用線材
５ａ，５ｂ  中空部材
６ａ，６ｂ  支持部材
７ａ，７ｂ，８ａ，８ｂ  パイプ部材
１１  天井板
２１  補助用の落下防止用線材
【図１】
2015124556.tif 000003
【図２】
2015124556.tif 000004
【図３】
2015124556.tif 000005
【図４】
2015124556.tif 000006
【図５】
2015124556.tif 000007
【図６】
2015124556.tif 000008
【図７】
2015124556.tif 000009